【手続補正書】
【提出日】平成28年9月23日(2016.9.23)
【手続補正１】
【補正対象書類名】特許請求の範囲
【補正対象項目名】全文
【補正方法】変更
【補正の内容】
【特許請求の範囲】
【請求項１】
複合原材料に含まれる有機材料を気化し、前記複合原材料に含まれる無機材料から、気化した有機材料を分離するリアクタ（１）であって、少なくとも１つの反応室（２）及び少なくとも１つのロータ（３）を備え、前記反応室（２）は、周囲に対して密閉されるとともに少なくとも１つの入口開口（８ａ、８ｂ、８ｃ）及び少なくとも１つの出口開口（９ａ、９ｂ）を有する少なくとも１つのハウジング（６、６ａ、６ｂ）を含み、前記ロータ（３）は少なくとも１つの軸（５）を含み、
前記ハウジング（６、６ａ、６ｂ）は、該ハウジング（６、６ａ、６ｂ）と熱交換するガスを搬送することを意図する少なくとも１つのチャネル（２０）と熱交換接触すること、前記ハウジング（６、６ａ、６ｂ）は円筒形であり、前記少なくとも１つの軸（５）が延びる方向に対して垂直な平面に円形の断面を有し、前記チャネル（２０）は、前記ハウジング（６、６ａ、６ｂ）の径方向外側エンベロープ面の少なくとも３分の１と接触し、加えて、前記少なくとも１つの入口開口（８ａ、８ｂ、８ｃ）を全体的又は部分的に囲むこと、及び、前記ロータ（３）の少なくとも第１の部分が前記ハウジング（６、６ａ、６ｂ）内に位置付けられ、前記軸（５）は、前記第１の部分から前記ハウジング（６、６ａ、６ｂ）を通って該ハウジングから１つの方向にのみ延びることを特徴とする、リアクタ。
【請求項２】
リアクタ（１）であって、前記ハウジング（６、６ａ、６ｂ）は、その外側が、前記少なくとも１つのチャネル（２０）と熱交換接触する、請求項１に記載のリアクタ。
【請求項３】
リアクタ（１）であって、前記少なくとも１つのチャネル（２０）は、前記ガスと前記ハウジング（６、６ａ、６ｂ）との間の直接的な熱交換を可能にするように前記ハウジング（６、６ａ、６ｂ）の外側に向かって開口している、請求項１に記載のリアクタ。
【請求項４】
リアクタ（１）であって、前記少なくとも１つのチャネル（２０）は、前記ガスと前記ハウジング（６、６ａ、６ｂ）との間の間接的な熱交換のみを可能にするために、前記ハウジング（６、６ａ、６ｂ）の外側に対して閉じている、請求項１に記載のリアクタ。
【請求項５】
リアクタ（１）であって、前記チャネル（２０）は、前記ハウジング（６、６ａ、６ｂ）の外面の少なくとも４分の１と接触する、請求項１に記載のリアクタ。
【請求項６】
リアクタ（１）であって、前記チャネル（２０）は、前記ハウジング（６、６ａ、６ｂ）の外面の少なくとも半分と接触する、請求項１に記載のリアクタ。
【請求項７】
リアクタ（１）であって、前記チャネル（２０）は、前記ハウジング（６、６ａ、６ｂ）の外面の少なくとも４分の３と接触する、請求項１に記載のリアクタ。
【請求項８】
リアクタ（１）であって、前記チャネル（２０）は、前記ハウジング（６、６ａ、６ｂ）の外面全体と接触する、請求項１に記載のリアクタ。
【請求項９】
リアクタ（１）であって、少なくとも１つの支持装置（１１）が、前記ハウジング（６、６ａ、６ｂ）の外側に位置する前記軸（５）の一部に、代替的には前記一部に接合される付加的な軸に共に作用し、前記支持装置（１１）は前記リアクタ（１）を全体的に支持する、請求項１に記載のリアクタ。
【請求項１０】
リアクタ（１）であって、少なくとも１つの支持装置（１１）が、前記ハウジング（６、６ａ、６ｂ）の外側に位置する前記軸（５）の一部に、代替的には前記一部に接合される付加的な軸に共に作用し、前記支持装置（１１）は前記リアクタ（１）を部分的に支持する、請求項１に記載のリアクタ。
【請求項１１】
リアクタ（１）であって、前記軸（５）は、該軸（５）が延びる方向に対して垂直に延びる少なくとも２つの平面で少なくとも２つの軸受（１２）に担持され、前記平面は前記ハウジング（６、６ａ、６ｂ）の外側に位置する、請求項１〜１０のいずれか一項に記載のリアクタ。
【請求項１２】
リアクタ（１）であって、前記ハウジング（６、６ａ、６ｂ）は円筒形状を有する、請求項１〜１１のいずれか一項に記載のリアクタ。
【請求項１３】
リアクタ（１）であって、前記ハウジング（６、６ａ、６ｂ）は少なくとも１つの取り外し可能な部分（６ａ）を有する、請求項９又は１０に記載のリアクタ。
【請求項１４】
リアクタ（１）であって、前記取り外し可能な部分（６ａ）は、ねじ継手及びボルト継手の少なくともいずれか一方によって前記ハウジングの残りの部分（６ｂ）に取り付けられる、請求項１３に記載のリアクタ。
【請求項１５】
リアクタ（１）であって、前記取り外し可能な部分（６ａ）の内部には耐摩耗性材料（１３）が設けられる、請求項１４に記載のリアクタ。
【請求項１６】
リアクタ（１）であって、前記ハウジング（６、６ａ、６ｂ）は、前記反応室（２）と周囲との間のガスの交換が防止されるように密閉される、請求項１４又は１５に記載のリアクタ。
【請求項１７】
リアクタ（１）であって、前記支持装置（１１）は少なくとも１つの軸受ハウジング（１０）を備え、前記ハウジングの前記残りの部分（６ｂ）は、前記少なくとも１つの軸受ハウジング（１０）のうちの少なくとも１つに取り付けられ、該軸受ハウジング（単数又は複数）によって全体的に支持される、請求項１４〜１６のいずれか一項に記載のリアクタ。
【請求項１８】
リアクタ（１）であって、前記支持装置（１１）は少なくとも１つの軸受ハウジング（１０）を備え、前記ハウジングの前記残りの部分（６ｂ）は、前記少なくとも１つの軸受ハウジング（１０）のうちの少なくとも１つに取り付けられ、該軸受ハウジング（単数又は複数）によって部分的に支持される、請求項１４〜１６のいずれか一項に記載のリアクタ。
【請求項１９】
リアクタ（１）であって、前記支持装置（１１）は少なくとも２つの軸受（１２）を含み、前記ハウジングの前記残りの部分（６ｂ）は、前記少なくとも２つの軸受（１２）のうちの少なくとも一方に取り付けられ、該軸受（単数又は複数）によって全体的に支持される、請求項１４〜１６のいずれか一項に記載のリアクタ。
【請求項２０】
リアクタ（１）であって、前記支持装置（１１）は少なくとも２つの軸受（１２）を含み、前記ハウジングの前記残りの部分（６ｂ）は、前記少なくとも２つの軸受（１２）のうちの少なくとも一方に取り付けられ、該軸受（単数又は複数）によって部分的に支持される、請求項１４〜１６のいずれか一項に記載のリアクタ。
【請求項２１】
リアクタ（１）であって、前記支持装置（１１）は少なくとも１つのスタンド（１１）を含み、前記ハウジングの前記残りの部分（６ｂ）は、前記少なくとも１つのスタンド（１１）のうちの少なくとも１つに取り付けられ、該スタンド（単数又は複数）によって全体的に支持される、請求項１４〜１６のいずれか一項に記載のリアクタ。
【請求項２２】
リアクタ（１）であって、前記支持装置（１１）は少なくとも１つのスタンド（１１）を含み、前記ハウジングの前記残りの部分（６ｂ）は、前記少なくとも１つのスタンド（１１）のうちの少なくとも１つに取り付けられ、該スタンド（単数又は複数）によって部分的に支持される、請求項１４〜１６のいずれか一項に記載のリアクタ。
【請求項２３】
リアクタ（１）であって、前記ロータ（３）の前記第１の部分は少なくとも１つのハンマ（４）を含む、請求項１〜２２のいずれか一項に記載のリアクタ。
【請求項２４】
リアクタ（１）であって、前記ハンマ（４）のうちの少なくとも１つは、少なくとも１つの固定部分（４ａ）及び少なくとも１つの関節部分（４ｂ）を含む、請求項２３に記載のリアクタ。
【請求項２５】
リアクタ（１）であって、前記固定部分（４ａ）は、前記ロータ（３）の前記第１の部分に固定して取り付けられ、前記関節部分（４ｂ）は前記固定部分（４ａ）に関節接合によって取り付けられる、請求項２４に記載のリアクタ。
【請求項２６】
リアクタ（１）であって、前記関節部分（４ｂ）は、前記ロータ（３）の第１の半径（ｒ１）の上に存在する重心（１５）を有し、同時に、前記関節部分（４ｂ）と前記固定部分（４ａ）との間の回転のための回転軸（１４）は、前記ロータ（３）の第２の半径（ｒ２）にあり、前記第１の半径（ｒ１）は、前記リアクタ（１）の動作に関連して前記ロータ（３）の回転時に前記第２の半径（ｒ２）に追従する、請求項２５に記載のリアクタ。
【請求項２７】
リアクタ（１）であって、該リアクタ（１）の動作に関連して前記ロータ（３）が回転すると、それぞれのハンマ（４）について、
前記ハンマ（４）の前記関節部分（４ｂ）の質量（ｍ）、
前記第１の半径（ｒ１）と前記回転軸（１４）との間の垂直距離（ｌ１）、及び
前記重心（１５）の回転速度（ｖ１）の二乗
に比例し、
前記ハンマ（４）の有効長（ｌ２）、及び
前記ロータの中心から前記重心（１５）までの半径（ｒ１）
に反比例する力（Ｆ２）が回転方向に生じる、請求項２６に記載のリアクタ。
【請求項２８】
複合原材料に含まれる有機材料を気化し、前記複合原材料に含まれる無機材料から、気化した有機材料を分離する請求項１〜２７のいずれか一項に記載のリアクタ（１）における効率を高める方法であって、
周囲に対して密閉されるとともに少なくとも１つの入口開口（８ａ、８ｂ、８ｃ）が設けられるハウジング（６、６ａ、６ｂ）内の反応室（２）に分離時に形成される可燃性ガスを集めるとともに、前記ガスを燃焼装置に運ぶステップ、
前記ガスを燃焼させるステップ、
燃焼したガスを、前記ハウジング（６、６ａ、６ｂ）と熱交換接触し、加えて前記燃焼したガスと前記ハウジング（６、６ａ、６ｂ）との間の熱交換のために前記少なくとも１つの入口開口（８ａ、８ｂ、８ｃ）を全体的又は部分的に囲む少なくとも１つのチャネル（２０）に搬送するステップであって、前記燃焼したガスは、前記チャネル（２０）に入るときに１５００℃の温度を保持するようにした、搬送するステップを含む、方法。
【請求項２９】
燃焼したガスを、前記ハウジング（６、６ａ、６ｂ）の外側に接触する少なくとも１つのチャネル（２０）に搬送する、請求項２８に記載の方法。
【請求項３０】
別の利用可能な供給源からの高温ガスの形態の余剰エネルギを、前記少なくとも１つのチャネル（２０）に搬送する、請求項２８に記載の方法。
【請求項３１】
第２の利用可能な供給源は、内燃機関及びタービンの少なくともいずれか一方であり、その排ガスが前記少なくとも１つのチャネル（２０）に搬送される、請求項２８に記載の方法。
【請求項３２】
分離時に前記反応室（２）内に形成されるガスを、少なくとも１つのスクラバ（１９）に運ぶ、請求項２８に記載の方法。
【請求項３３】
前記少なくとも１つのスクラバ（１９）のうちの少なくとも１つは、ベンチュリタイプであり、前記反応室（２）の少なくとも一部に真空が存在する、請求項３２に記載の方法。
【請求項３４】
前記反応室（２）における前記分離は、０．１ＭＰａ未満である圧力で生じる、請求項２８に記載の方法。
【請求項３５】
複合原材料に含まれる有機材料を気化し、前記複合原材料に含まれる無機材料から、気化した有機材料を分離する請求項１〜２７のいずれか一項に記載のリアクタの使用方法。
【請求項３６】
前記原材料は、車及び他の車両の少なくともいずれか一方のタイヤからなる、請求項３５に記載の使用方法。
【請求項３７】
前記原材料はプラスチック、油、ナイロン、ポリエステル、消化スラッジ、木材、屠殺場廃棄物、又は油科植物からなる、請求項３５に記載の使用方法。
【手続補正２】
【補正対象書類名】明細書
【補正対象項目名】０００７
【補正方法】変更
【補正の内容】
【０００７】
少なくとも１つの支持装置が、前記ハウジングの外側にある前記軸の一部に、代替的には前記一部に接合される付加的な軸に共に作用することができ、前記支持装置はリアクタを全体的に支持する。少なくとも１つの支持装置は、ハウジングの外側にある前記軸の一部に、代替的には前記一部に接合される付加的な軸に共に作用することができ、前記支持装置はリアクタを部分的に支持する。前記軸は、当該軸が延びる主要な方向に対して主に垂直に延びる少なくとも２つの平面で軸受に担持されることができ、前記平面は前記ハウジングの外側に位置する。前記支持装置は少なくとも１つのスタンドを含むことができる。前記支持装置は、前記平面における前記軸の軸受取り付け用の少なくとも２つの軸受を備えることができる。前記支持装置は少なくとも１つの軸受ハウジングを備えることができる。
【手続補正３】
【補正対象書類名】明細書
【補正対象項目名】０００８
【補正方法】変更
【補正の内容】
【０００８】
前記ハウジングは主に円筒形状を有する。前記ハウジングは少なくとも１つの取り外し可能な部分を有する。当該取り外し可能な部分は、ねじ継手及びボルト継手の少なくともいずれか一方によって前記ハウジングの残りの部分に取り付けることができる。前記取り外し可能な部分の内部には耐摩耗性材料を設けることができる。前記ハウジングは、前記反応室と周囲との間のガスの交換が主に防止されるように密閉することができる。